(57)【要約】【課題】制御情報を選択し直す場合に、処理装置の運用が停止する時間を短縮できる。【解決手段】処理装置３２２は、入力された信号を処理する。処理装置は、第１調整回路６１０と第２調整回路６２０と制御回路６５０とを備える。第１調整回路６１０は、複数の異なる制御情報の中から選択された第１制御情報を用いて、入力された信号の波形を調整する。第２調整回路６２０は、複数の制御情報の中から選択された第２制御情報を用いて、入力された信号の波形を調整する。制御回路６５０は、第１制御情報として複数の制御情報のうちの１つを選択するとともに、第２制御情報として複数の制御情報のそれぞれを順次に選択する。更に、制御回路６５０は、第２調整回路６２０にて複数の制御情報のそれぞれに対して調整された信号に基づいて、複数の制御情報のうちの１つを第１制御情報又は第２制御情報として選択する。【選択図】図５
2018032920.tif 000002
【特許請求の範囲】
【請求項１】
入力された信号を処理する処理装置であって、
複数の異なる制御情報の中から選択された第１制御情報を用いて、前記入力された信号の波形を調整する第１調整回路と、
前記複数の制御情報の中から選択された第２制御情報を用いて、前記入力された信号の波形を調整する第２調整回路と、
前記第１制御情報として前記複数の制御情報のうちの１つを選択するとともに、前記第２制御情報として前記複数の制御情報のそれぞれを順次に選択し、且つ、前記第２調整回路にて前記複数の制御情報のそれぞれに対して前記調整された信号に基づいて、前記複数の制御情報のうちの１つを前記第１制御情報又は前記第２制御情報として選択する制御回路と、
を備える、処理装置。
【請求項２】
請求項１に記載の処理装置であって、
前記第１調整回路にて前記調整された信号を前記処理装置の外部へ出力する第１状態と、前記第２調整回路にて前記調整された信号を前記処理装置の外部へ出力する第２状態と、の間で状態が切り替わる切替回路を備え、
前記制御回路は、前記切替回路の状態が前記第１状態である場合、前記第１制御情報として前記複数の制御情報のうちの１つを選択するとともに、前記第２制御情報として前記複数の制御情報のそれぞれを順次に選択し、且つ、前記第２調整回路にて前記複数の制御情報のそれぞれに対して前記調整された信号に基づいて、前記切替回路の状態を前記第１状態から前記第２状態へ切り替えるとともに、前記複数の制御情報のうちの１つを前記第２制御情報として選択する、処理装置。
【請求項３】
請求項１又は請求項２に記載の処理装置であって、
前記制御回路は、
前記第１制御情報として前記複数の制御情報のそれぞれを順次に選択し、前記第１調整回路にて前記複数の制御情報のそれぞれに対して前記調整された信号に基づいて、前記複数の制御情報のうちの、前記入力された信号の波形の調整に用いられることにより当該信号が正しい情報を表す制御情報からなる第１制御情報群を特定し、且つ、前記特定された第１制御情報群に基づいて前記第１制御情報として前記複数の制御情報のうちの１つを選択するとともに、
前記第１制御情報群が特定された後に、前記第２調整回路にて前記複数の制御情報のそれぞれに対して前記調整された信号に基づいて、前記複数の制御情報のうちの、前記入力された信号の波形の調整に用いられることにより当該信号が正しい情報を表す制御情報からなる第２制御情報群を特定し、且つ、前記特定された第１制御情報群と、前記特定された第２制御情報群と、に基づいて前記第１制御情報又は前記第２制御情報の選択を制御する、処理装置。
【請求項４】
請求項１乃至請求項３のいずれか一項に記載の処理装置であって、
前記制御回路は、
前記第１制御情報が選択された後に、前記第２調整回路にて前記複数の制御情報のそれぞれに対して前記調整された信号に基づいて、前記複数の制御情報のうちの、前記入力された信号の波形の調整に用いられることにより当該信号が正しい情報を表す制御情報からなる第２制御情報群を特定し、且つ、前記第１制御情報と、前記特定された第２制御情報群と、に基づいて前記第１制御情報又は前記第２制御情報の選択を制御する、処理装置。
【請求項５】
請求項３又は請求項４に記載の処理装置であって、
前記制御回路は、前記第１調整回路にて前記調整された信号が表す情報と、前記第２調整回路にて前記複数の制御情報のそれぞれに対して前記調整された信号が表す情報と、が一致するか否かに基づいて前記第２制御情報群の特定を行なう、処理装置。
【請求項６】
請求項３又は請求項４に記載の処理装置であって、
前記制御回路は、前記第２調整回路にて前記複数の制御情報のそれぞれに対して前記調整された信号が表す情報が誤りを含むか否かに基づいて前記第２制御情報群の特定を行なう、処理装置。
【請求項７】
請求項１乃至請求項６のいずれか一項に記載の処理装置であって、
前記複数の制御情報のそれぞれは、前記入力された信号の振幅を増加する量と、前記入力された信号のうちの、複数の周波数帯域をそれぞれ有する複数の成分の振幅をそれぞれ増加する複数の量と、を表す、処理装置。
【請求項８】
入力された信号を処理する処理方法であって、
複数の異なる制御情報の中から選択された第１制御情報を用いて、前記入力された信号の波形を調整する第１調整回路と、
前記複数の制御情報の中から選択された第２制御情報を用いて、前記入力された信号の波形を調整する第２調整回路と、
を備える処理装置に適用され、
前記第１制御情報として前記複数の制御情報のうちの１つを選択し、
前記第２制御情報として前記複数の制御情報のそれぞれを順次に選択し、
前記第２調整回路にて前記複数の制御情報のそれぞれに対して前記調整された信号に基づいて、前記複数の制御情報のうちの１つを前記第１制御情報又は前記第２制御情報として選択する、処理方法。
【請求項９】
請求項８に記載の処理方法であって、
前記処理装置は、
前記第１調整回路にて前記調整された信号を前記処理装置の外部へ出力する第１状態と、前記第２調整回路にて前記調整された信号を前記処理装置の外部へ出力する第２状態と、の間で状態が切り替わる切替回路を備え、
前記切替回路の状態が前記第１状態である場合、前記第１制御情報として前記複数の制御情報のうちの１つを選択するとともに、前記第２制御情報として前記複数の制御情報のそれぞれを順次に選択し、
前記第２調整回路にて前記複数の制御情報のそれぞれに対して前記調整された信号に基づいて、前記切替回路の状態を前記第１状態から前記第２状態へ切り替えるとともに、前記複数の制御情報のうちの１つを前記第２制御情報として選択する、処理方法。
【発明の詳細な説明】
【技術分野】
【０００１】
本発明は、処理装置、及び、処理方法に関する。
【背景技術】
【０００２】
複数の回路又は装置（例えば、ＡＳＩＣ、光モジュール、又は、ＣＰＵ等）の間で情報を伝達するために、１ＧＨｚ以上の周波数を有する高速シリアル信号が用いられることがある。ＡＳＩＣは、Ａｐｐｌｉｃａｔｉｏｎ  Ｓｐｅｃｉｆｉｃ  Ｉｎｔｅｇｒａｔｅｄ  Ｃｉｒｃｕｉｔの略記である。ＣＰＵは、Ｃｅｎｔｒａｌ  Ｐｒｏｃｅｓｓｉｎｇ  Ｕｎｉｔの略記である。
【０００３】
高速シリアル信号を処理する処理装置の一つとして、調整回路を備え、調整回路にて調整された信号を出力する処理装置が知られている（例えば、特許文献１及び２等）。処理装置は、ＳｅｒＤｅｓ回路と呼ばれることがある。ＳｅｒＤｅｓは、Ｓｅｒｉａｌｉｚｅｒ／Ｄｅｓｅｒｉａｌｉｚｅｒの略記である。
【０００４】
調整回路は、複数の異なる制御情報の中から選択された制御情報を用いて、入力された信号の波形を調整する。例えば、制御情報は、信号の振幅を変更する量と、信号が有する複数の周波数成分の振幅をそれぞれ変更する複数の量と、を表す。
【先行技術文献】
【特許文献】
【０００５】
【特許文献１】特開２０１１−１６６５７９号公報
【特許文献２】特開２０１４−２２５８５０号公報
【発明の概要】
【発明が解決しようとする課題】
【０００６】
処理装置に入力される信号の波形は、当該信号を生成する回路又は装置の状態、又は、当該信号を伝送する伝送路の状態が時間の経過に伴って変化することにより、変化することがある。このため、処理装置の調整回路にて調整された信号が表す情報が誤りを含む（換言すると、エラーが発生する）ことがある。
【０００７】
上述した処理装置においては、エラーが発生するまで、波形の調整に用いられている制御情報が、適切な制御情報と異なっていることを検出できない。そこで、上述した処理装置において、制御情報を選択してから、所定の時間が経過した時点にて、制御情報を選択し直すことにより、エラーの発生を抑制することが考えられる。
【０００８】
ところで、制御情報を選択する場合、既知の情報を表す信号（例えば、試験信号等）を処理装置に入力するとともに、処理装置の調整回路にて調整された信号が表す情報と、当該既知の情報と、が一致するか否かが判定されることがある。この場合、処理装置による任意の信号（例えば、ユーザ信号）の処理（換言すると、処理装置の運用）を停止しなければ、制御情報を選択し直すことができない。従って、制御情報を選択し直す場合に、処理装置の運用が停止する時間が長くなりやすい。
【０００９】
一つの側面として、本発明の目的の一つは、制御情報を選択し直す場合に、処理装置の運用が停止する時間を短縮することにある。
【課題を解決するための手段】
【００１０】
一つの側面では、処理装置は、入力された信号を処理する。この処理装置は、第１調整回路と、第２調整回路と、制御回路と、を備える。
上記第１調整回路は、複数の異なる制御情報の中から選択された第１制御情報を用いて、上記入力された信号の波形を調整する。
上記第２調整回路は、上記複数の制御情報の中から選択された第２制御情報を用いて、上記入力された信号の波形を調整する。
【００１１】
上記制御回路は、上記第１制御情報として上記複数の制御情報のうちの１つを選択するとともに、上記第２制御情報として上記複数の制御情報のそれぞれを順次に選択する。更に、上記制御回路は、上記第２調整回路にて上記複数の制御情報のそれぞれに対して上記調整された信号に基づいて、上記複数の制御情報のうちの１つを上記第１制御情報又は上記第２制御情報として選択する。
【発明の効果】
【００１２】
制御情報を選択し直す場合に、処理装置の運用が停止する時間を短縮できる。
【図面の簡単な説明】
【００１３】
【図１】第１実施形態の伝送装置の構成の一例を表すブロック図である。
【図２】図１の、ＩＦ、切替装置、及び、制御装置の要素と、要素間の接続と、の一例を表すブロック図である。
【図３】図２の、ＡＳＩＣ、及び、光モジュールの構成の一例を表すブロック図である。
【図４】図３の送信回路の構成の一例を表すブロック図である。
【図５】図３の受信回路の構成の一例を表すブロック図である。
【図６】図５の波形調整回路の構成の一例を表すブロック図である。
【図７】図５の受信回路が記憶する、制御情報及び通信可否情報の一例を表す説明図である。
【図８】図５の受信回路が記憶する、制御情報及び通信可否情報の一例を表す説明図である。
【図９】図５の受信回路が実行する処理の一例を表すフローチャートである。
【図１０】図５の受信回路が実行する処理の一例を表すフローチャートである。
【図１１】図５の受信回路が実行する処理の一例を表すフローチャートである。
【図１２】図５の受信回路が記憶する、制御情報及び通信可否情報の一例を表す説明図である。
【図１３】図５の受信回路が記憶する、制御情報及び通信可否情報の一例を表す説明図である。
【図１４】図５の受信回路が記憶する、制御情報及び通信可否情報の一例を表す説明図である。
【図１５】第２実施形態の受信回路の構成の一例を表すブロック図である。
【図１６】図１５の受信回路が記憶する、制御情報及び通信可否情報の一例を表す説明図である。
【発明を実施するための形態】
【００１４】
以下、図面を参照して本発明の実施形態を説明する。ただし、以下に説明される実施形態は例示である。従って、以下に明示しない種々の変形や技術が実施形態に適用されることは排除されない。なお、以下の実施形態で用いる図面において、同一の符号を付した部分は、変更又は変形が明示されない限り、同一若しくは同様の部分を表す。
【００１５】
＜第１実施形態＞
（構成）
例えば、図１に表されるように、第１実施形態の伝送装置１は、通信ケーブルＦＣを介して他の複数の伝送装置と接続される。本例では、伝送装置１は、伝送装置１に接続された、他の複数の伝送装置との間で光信号を送信及び受信する。本例では、通信ケーブルＦＣは、光ファイバを備える。
【００１６】
例えば、伝送装置１は、リング型、スター型、又は、メッシュ型等のネットワークトポロジーを有する通信網を構成するノードであってよい。伝送装置１と、伝送装置１に接続された、他の複数の伝送装置と、の間で通信される信号は、主信号と表されてよい。例えば、主信号は、データ又は音声を表す信号である。
【００１７】
伝送装置１は、Ｍ個のインタフェース装置１１−１，１１−２，…，１１−Ｍと、Ｎ個のインタフェース装置１２−１，１２−２，…，１２−Ｎと、切替装置１３と、制御装置１４と、を備える。Ｍ及びＮのそれぞれは、２以上の整数を表す。インタフェース装置は、ＩＦと表されてもよい。
【００１８】
ＩＦ１１−ｍ及びＩＦ１２−ｎのそれぞれは、通信ケーブルＦＣを介して、伝送装置１と異なる伝送装置と接続される。ｍは、１からＭの各整数を表す。ｎは、１からＮの各整数を表す。
【００１９】
ＩＦ１１−ｍ及びＩＦ１２−ｎのそれぞれは、通信ケーブルＦＣを介して接続された、伝送装置１と異なる伝送装置から主信号としての光信号を受信し、受信した主信号を光信号から電気信号に変換し、電気信号に変換された主信号を切替装置１３へ送信する。信号の送信は、信号の出力と表されてもよい。また、信号の受信は、信号の入力と表されてもよい。
【００２０】
ＩＦ１１−ｍ及びＩＦ１２−ｎのそれぞれは、切替装置１３から主信号としての電気信号を受信し、受信した主信号を電気信号から光信号に変換し、通信ケーブルＦＣを介して接続された、伝送装置１と異なる伝送装置へ、光信号に変換された主信号を送信する。
【００２１】
ＩＦ１１−ｍ及びＩＦ１２−ｎのそれぞれは、制御装置１４へ制御信号を送信する。ＩＦ１１−ｍ及びＩＦ１２−ｎのそれぞれは、制御装置１４から制御信号を受信し、受信した制御信号に従って自装置の動作を制御する。
【００２２】
切替装置１３は、ＩＦ１１−ｍと、当該ＩＦ１１−ｍに対して、Ｎ個のＩＦ１２−１，１２−２，…，１２−Ｎの中から選択されたＩＦ１２−ｎと、を接続する。切替装置１３は、ＩＦ１１−ｍと、ＩＦ１１−ｍに接続されたＩＦ１２−ｎと、の間で主信号を中継する。
【００２３】
切替装置１３は、制御装置１４へ制御信号を送信する。切替装置１３は、制御装置１４から制御信号を受信し、受信した制御信号に従って、ＩＦ１１−ｍとＩＦ１２−ｎとの接続を変更する。換言すると、切替装置１３は、受信した制御信号に従って、各ＩＦ１１−ｍに接続されるＩＦ１２−ｎを、Ｎ個のＩＦ１２−１，１２−２，…，１２−Ｎの中で切り替える。本例では、切替装置１３は、クロスコネクトスイッチである。
【００２４】
制御装置１４は、伝送装置１が備える各装置１１−ｍ，１２−ｎ，１３の動作を制御信号を用いて制御する。
【００２５】
ここで、各装置１１−ｍ，１２−ｎ，１３，１４が備える要素と、要素間で伝達される信号と、について説明を加える。
例えば、図２に表されるように、ＩＦ１１−ｍは、光モジュール１１１と、ＡＳＩＣ１１２と、ＣＰＵ１１３と、を備える。ＡＳＩＣは、Ａｐｐｌｉｃａｔｉｏｎ  Ｓｐｅｃｉｆｉｃ  Ｉｎｔｅｇｒａｔｅｄ  Ｃｉｒｃｕｉｔの略記である。ＣＰＵは、Ｃｅｎｔｒａｌ  Ｐｒｏｃｅｓｓｉｎｇ  Ｕｎｉｔの略記である。
切替装置１３は、ＡＳＩＣ１３１を備える。制御装置１４は、ＡＳＩＣ１４１と、ＣＰＵ１４２と、を備える。
【００２６】
光モジュール１１１は、伝送装置１と異なる伝送装置から受信された主信号を光信号から電気信号に変換し、電気信号に変換された主信号をＡＳＩＣ１１２へ送信する。光モジュール１１１は、ＡＳＩＣ１１２から主信号としての電気信号を受信し、受信した主信号を電気信号から光信号に変換し、光信号に変換された主信号を、伝送装置１と異なる伝送装置へ送信する。
【００２７】
光モジュール１１１及びＡＳＩＣ１１２は、光モジュール１１１とＡＳＩＣ１１２との間で電気信号ＳＳ１を送信及び受信する。光モジュール１１１とＡＳＩＣ１１２との間で送信及び受信される電気信号ＳＳ１は、高速シリアル信号である。本例では、高速シリアル信号は、１ＧＨｚ以上の周波数を有する信号である。
【００２８】
換言すると、光モジュール１１１とＡＳＩＣ１１２とは、高速シリアルインタフェースを用いて接続されている。
【００２９】
ＩＦ１１−ｍのＡＳＩＣ１１２と、切替装置１３のＡＳＩＣ１３１と、は、ＡＳＩＣ１１２とＡＳＩＣ１３１との間で電気信号ＳＳ２を送信及び受信する。ＩＦ１１−ｍのＡＳＩＣ１１２と、ＩＦ１１−ｍのＣＰＵ１１３と、は、ＡＳＩＣ１１２とＣＰＵ１１３との間で電気信号ＳＳ３を送信及び受信する。
【００３０】
ＩＦ１１−ｍのＣＰＵ１１３と、制御装置１４のＡＳＩＣ１４１と、は、ＣＰＵ１１３とＡＳＩＣ１４１との間で電気信号ＳＳ４を送信及び受信する。制御装置１４のＡＳＩＣ１４１と、制御装置１４のＣＰＵ１４２と、は、ＡＳＩＣ１４１とＣＰＵ１４２との間で電気信号ＳＳ５を送信及び受信する。
電気信号ＳＳ２〜ＳＳ５のそれぞれも、高速シリアル信号である。
【００３１】
例えば、電気信号ＳＳ１〜ＳＳ２の伝送に用いられる高速シリアルインタフェースは、ＯＩＦ、ＸＡＵＩ、又は、ＸＦＩと呼ばれる方式又は規格に従ってよい。ＯＩＦは、Ｔｈｅ  Ｏｐｔｉｃａｌ  Ｉｎｔｅｒｎｅｔｗｏｒｋｉｎｇ  Ｆｏｒｕｍの略記である。ＡＵＩは、Ｅｔｈｅｒｎｅｔ  Ａｔｔａｃｈｍｅｎｔ  Ｕｎｉｔ  Ｉｎｔｅｒｆａｃｅの略記である。Ｅｔｈｅｒｎｅｔは、登録商標である。
【００３２】
例えば、電気信号ＳＳ３〜ＳＳ５の伝送に用いられる高速シリアルインタフェースは、ＵＳＢ（Ｕｎｉｖｅｒｓａｌ  Ｓｅｒｉａｌ  Ｂｕｓ）、ＩＥＥＥ１３９４、イーサネット、シリアルＡＴＡ、又は、ＰＣＩ  Ｅｘｐｒｅｓｓと呼ばれる方式又は規格に従ってよい。ＩＥＥＥは、Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓの略記である。ＰＣＩは、Ｐｅｒｉｐｈｅｒａｌ  Ｃｏｍｐｏｎｅｎｔ  Ｉｎｔｅｒｃｏｎｎｅｃｔの略記である。イーサネットは、登録商標である。
【００３３】
なお、ＩＦ１２−ｎも、ＩＦ１１−ｍと同様の構成を有するとともに、ＩＦ１１−ｍと同様に、ＩＦ１２−ｎと、切替装置１３及び制御装置１４と、の間で電気信号を送信及び受信する。
【００３４】
ここで、高速シリアル信号を送信及び受信する回路について説明を加える。
例えば、図３に表されるように、ＡＳＩＣ１１２は、論理回路２１と、ＳｅｒＤｅｓ回路２２と、を備える。ＳｅｒＤｅｓは、Ｓｅｒｉａｌｉｚｅｒ／Ｄｅｓｅｒｉａｌｉｚｅｒの略記である。
【００３５】
ＡＳＩＣ１３１は、論理回路３１と、ＳｅｒＤｅｓ回路３２と、を備える。光モジュール１１１は、論理回路４１と、ＳｅｒＤｅｓ回路４２と、を備える。
【００３６】
ＳｅｒＤｅｓ回路２２は、Ｐ＋Ｑ個のポート２２０−１，２２０−２，…，２２０−Ｐ，２２０−Ｐ＋１，…，２２０−Ｐ＋Ｑを備える。Ｐ及びＱのそれぞれは、１以上の整数を表す。ポート２２０−ｐは、ポート＃ｐと表されてもよい。ｐは、１からＰの各整数を表す。ポート２２０−Ｐ＋ｑは、ポート＃Ｐ＋ｑと表されてもよい。ｑは、１からＱの各整数を表す。
【００３７】
ＳｅｒＤｅｓ回路３２は、Ｐ個のポート３２０−１，３２０−２，…，３２０−Ｐを備える。ポート３２０−ｐは、ポート＃ｐと表されてもよい。ＳｅｒＤｅｓ回路４２は、Ｑ個のポート４２０−１，…，４２０−Ｑを備える。ポート４２０−ｑは、ポート＃ｑと表されてもよい。
【００３８】
ＳｅｒＤｅｓ回路２２のポート２２０−１，２２０−２，…，２２０−Ｐと、ＳｅｒＤｅｓ回路３２のポート３２０−１，３２０−２，…，３２０−Ｐと、は、それぞれ接続されている。ＳｅｒＤｅｓ回路２２のポート２２０−Ｐ＋１，…，２２０−Ｐ＋Ｑと、ＳｅｒＤｅｓ回路４２のポート４２０−１，…，４２０−Ｑと、は、それぞれ接続されている。
【００３９】
ポート２２０−１は、送信回路２２１と、受信回路２２２と、を備える。ポート３２０−１は、送信回路３２１と、受信回路３２２と、を備える。
【００４０】
ここでは、ポート２２０−１の送信回路２２１と、ポート３２０−１の受信回路３２２と、に着目して説明を続ける。なお、送信回路３２１及び受信回路２２２も、送信回路２２１及び受信回路３２２と同様に構成される。また、ポート２２０−１及びポート３２０−１以外の各ポート２２０−２，…，２２０−Ｐ＋Ｑ，３２０−２，…，３２０−Ｐ，４２０−１，…，４２０−Ｑも、ポート２２０−１及びポート３２０−１と同様に構成される。
【００４１】
例えば、図４に表されるように、送信回路２２１は、振幅処理部５１１と、Ｕ個の帯域フィルタ５１２−１，５１２−２，…，５１２−Ｕと、Ｕ個のエンファシス処理部５１３−１，５１３−２，…，５１３−Ｕと、を備える。Ｕは、１以上の整数を表す。
【００４２】
振幅処理部５１１は、論理回路２１から受信した電気信号の振幅を調整する。本例では、振幅処理部５１１は、振幅処理パラメータに従って、電気信号の振幅を増加させる。本例では、振幅処理パラメータは、振幅処理部５１１から出力される電気信号の振幅の、振幅処理部５１１に入力される電気信号の振幅に対する比を表す。本例では、振幅処理パラメータは、予め定められる。振幅処理部５１１は、振幅が調整された電気信号を出力する。
【００４３】
Ｕ個の帯域フィルタ５１２−１，５１２−２，…，５１２−Ｕは、Ｕ個の異なる通過帯域をそれぞれ有する。本例では、帯域は、周波数帯域である。帯域フィルタは、バンドパスフィルタと表されてもよい。帯域フィルタ５１２−ｕには、振幅処理部５１１から出力された電気信号が入力される。ｕは、１からＵの各整数を表す。
【００４４】
帯域フィルタ５１２−ｕは、帯域フィルタ５１２−ｕに入力された電気信号のうちの、帯域フィルタ５１２−ｕの通過帯域以外の帯域を有する成分を、当該通過帯域を有する成分よりも大きく減衰させる。本例では、帯域フィルタ５１２−ｕは、帯域フィルタ５１２−ｕに入力された電気信号のうちの、帯域フィルタ５１２−ｕの通過帯域を有する成分を通過させるとともに、当該通過帯域以外の帯域を有する成分を遮断する。
【００４５】
Ｕ個のエンファシス処理部５１３−１，５１３−２，…，５１３−Ｕには、Ｕ個の帯域フィルタ５１２−１，５１２−２，…，５１２−Ｕから出力されたＵ個の電気信号がそれぞれ入力される。
【００４６】
エンファシス処理部５１３−ｕは、エンファシス処理部５１３−ｕに入力された電気信号の振幅を調整する。本例では、エンファシス処理部５１３−ｕは、エンファシス処理部５１３−ｕに対して定められたエンファシス処理パラメータに従って、電気信号の振幅を増加させる。本例では、エンファシス処理パラメータは、エンファシス処理部５１３−ｕから出力される電気信号の振幅の、エンファシス処理部５１３−ｕに入力される電気信号の振幅に対する比を表す。本例では、エンファシス処理パラメータは、予め定められる。エンファシス処理部５１３−ｕは、振幅が調整された電気信号を出力する。
【００４７】
送信回路２２１は、振幅処理部５１１から出力された電気信号と、Ｕ個のエンファシス処理部５１３−１，５１３−２，…，５１３−Ｕからそれぞれ出力されたＵ個の電気信号と、が重畳された電気信号を受信回路３２２へ送信する。本例では、送信回路２２１から受信回路３２２へ送信される電気信号は、差動信号である。
【００４８】
例えば、図５に表されるように、受信回路３２２は、第１調整回路６１０と、第２調整回路６２０と、切替回路６３０と、比較回路６４０と、制御回路６５０と、を備える。受信回路３２２は、処理装置の一例である。論理回路３１は、誤り検出回路３１１を備える。
【００４９】
第１調整回路６１０、及び、第２調整回路６２０のそれぞれは、制御回路６５０による制御に従って、送信回路２２１から受信した電気信号の波形を調整し、波形が調整された電気信号を、切替回路６３０及び比較回路６４０のそれぞれへ出力する。
【００５０】
切替回路６３０には、第１調整回路６１０及び第２調整回路６２０のそれぞれから出力された電気信号が入力される。切替回路６３０は、制御回路６５０による制御に従って、第１状態と第２状態との間で、切替回路６３０の状態を切り替える。第１状態は、切替回路６３０が、第１調整回路６１０から入力された電気信号を論理回路３１へ送信する（換言すると、受信回路３２２の外部へ出力する）状態である。第２状態は、切替回路６３０が、第２調整回路６２０から入力された電気信号を論理回路３１へ送信する状態である。
【００５１】
比較回路６４０は、第１調整回路６１０及び第２調整回路６２０からそれぞれ出力された２つの電気信号を比較する。比較回路６４０は、当該比較の結果を表す情報を、第１調整回路６１０及び第２調整回路６２０のそれぞれへ出力する。本例では、当該比較の結果を表す情報は、第１調整回路６１０から出力された電気信号が表す情報と、第２調整回路６２０から出力された電気信号が表す情報と、が一致するか否かを表す情報（換言すると、通信可否情報）である。
【００５２】
制御回路６５０は、第１調整回路６１０及び第２調整回路６２０による波形の調整と、切替回路６３０の状態と、を制御する。なお、制御回路６５０は、記憶装置と処理装置とを備え、記憶装置に記憶されているプログラムを処理装置が実行することにより制御回路６５０の機能を実現してもよい。
制御回路６５０の詳細については後述する。
【００５３】
誤り検出回路３１１は、切替回路６３０から出力された電気信号が表す情報が誤りを含むか否かを判定する。本例では、誤り検出回路３１１は、電気信号が表す情報に含まれる誤り訂正符号に基づいて当該情報が誤りを含むか否かを判定する。例えば、誤り訂正符号は、パリティ符号、ＥＣＣ（Ｅｒｒｏｒ  Ｃｏｒｒｅｃｔｉｏｎ  Ｃｏｄｅ）、又は、リードソロモン符号等である。
【００５４】
誤り検出回路３１１は、当該判定の結果を表す情報を、制御回路６５０へ出力する。本例では、当該判定の結果を表す情報は、切替回路６３０から出力された電気信号が表す情報が誤りを含むか否かを表す情報（換言すると、通信可否情報）である。
【００５５】
ここで、第１調整回路６１０及び第２調整回路６２０について説明を加える。
第１調整回路６１０は、制御情報レジスタ６１１と、波形調整回路６１２と、通信可否情報レジスタ６１３と、を備える。第２調整回路６２０は、制御情報レジスタ６２１と、波形調整回路６２２と、通信可否情報レジスタ６２３と、を備える。
【００５６】
制御情報レジスタ６１１及び制御情報レジスタ６２１のそれぞれは、制御情報を記憶する。本例では、制御情報は、後述する、振幅復元パラメータ及びイコライザ処理パラメータを含む。制御情報レジスタ６１１及び制御情報レジスタ６２１が記憶する制御情報は、制御回路６５０によって設定される。
【００５７】
図６に表されるように波形調整回路６１２は、振幅復元部６１２１と、Ｖ個の帯域フィルタ６１２２−１，６１２２−２，６１２２−３，…，６１２２−Ｖと、Ｖ個のイコライザ処理部６１２３−１，６１２３−２，６１２３−３，…，６１２３−Ｖと、を備える。Ｖは、１以上の整数を表す。
【００５８】
振幅復元部６１２１は、送信回路２２１から受信した電気信号の振幅を調整する。本例では、振幅復元部６１２１は、振幅復元パラメータに従って、電気信号の振幅を増加させる。
【００５９】
本例では、振幅復元パラメータは、振幅復元部６１２１から出力される電気信号の振幅の、振幅復元部６１２１に入力される電気信号の振幅に対する比を表す。振幅復元パラメータは、波形調整回路６１２に入力された信号の振幅を増加する量を表す情報の一例である。本例では、振幅復元パラメータは、制御情報レジスタ６１１に記憶されている。振幅復元部６１２１は、振幅が調整された電気信号を出力する。
【００６０】
Ｖ個の帯域フィルタ６１２２−１，６１２２−２，６１２２−３，…，６１２２−Ｖは、Ｖ個の異なる通過帯域をそれぞれ有する。
帯域フィルタ６１２２−ｖには、振幅復元部６１２１から出力された電気信号が入力される。ｖは、１からＶの各整数を表す。
【００６１】
帯域フィルタ６１２２−ｖは、帯域フィルタ６１２２−ｖに入力された電気信号のうちの、帯域フィルタ６１２２−ｖの通過帯域以外の帯域を有する成分を、当該通過帯域を有する成分よりも大きく減衰させる。本例では、帯域フィルタ６１２２−ｖは、帯域フィルタ６１２２−ｖに入力された電気信号のうちの、帯域フィルタ６１２２−ｖの通過帯域を有する成分を通過させるとともに、当該通過帯域以外の帯域を有する成分を遮断する。
【００６２】
Ｖ個のイコライザ処理部６１２３−１，６１２３−２，６１２３−３，…，６１２３−Ｖには、Ｖ個の帯域フィルタ６１２２−１，６１２２−２，６１２２−３，…，６１２２−Ｖから出力されたＶ個の電気信号がそれぞれ入力される。
【００６３】
イコライザ処理部６１２３−ｖは、イコライザ処理部６１２３−ｖに入力された電気信号の振幅を調整する。本例では、イコライザ処理部６１２３−ｖは、イコライザ処理部６１２３−ｖに対して定められたイコライザ処理パラメータに従って、電気信号の振幅を増加させる。
【００６４】
本例では、イコライザ処理パラメータは、イコライザ処理部６１２３−ｖから出力される電気信号の振幅の、イコライザ処理部６１２３−ｖに入力される電気信号の振幅に対する比を表す。イコライザ処理部６１２３−ｖに対するイコライザ処理パラメータは、波形調整回路６１２に入力された信号のうちの、帯域フィルタ６１２２−ｖの通過帯域を有する成分の振幅を増加する量を表す情報の一例である。本例では、イコライザ処理パラメータは、制御情報レジスタ６１１に記憶されている。イコライザ処理部６１２３−ｖは、振幅が調整された電気信号を出力する。
【００６５】
波形調整回路６１２は、振幅復元部６１２１から出力された電気信号と、Ｖ個のイコライザ処理部６１２３−１，６１２３−２，６１２３−３，…，６１２３−Ｖからそれぞれ出力されたＶ個の電気信号と、が重畳された電気信号を出力する。
波形調整回路６２２も、波形調整回路６１２と同様に構成される。
【００６６】
ここで、制御回路６５０について説明を加える。
制御回路６５０は、切替回路６３０の状態を第１状態に設定するとともに、初期スキャン制御を実行する。初期スキャン制御は、Ｋ個の異なる制御情報のそれぞれを順次に制御情報レジスタ６１１に設定することを含む。Ｋは、２以上の整数を表す。制御情報の設定は、制御情報の選択の一例である。
【００６７】
Ｋ個の制御情報のそれぞれは、振幅復元パラメータと、Ｖ個のイコライザ処理部６１２３−１，６１２３−２，６１２３−３，…，６１２３−Ｖにそれぞれ対応するＶ個のイコライザ処理パラメータと、を含む。本例では、Ｋ個の制御情報が互いに異なることは、振幅復元パラメータ、及び、Ｖ個のイコライザ処理パラメータからなるＶ＋１個のパラメータの少なくとも１つの値が互いに異なることに対応する。
【００６８】
本例では、振幅復元パラメータ及びイコライザ処理パラメータのそれぞれの値は、０から９までの整数である。振幅復元パラメータは、値が大きくなるほど、振幅復元部６１２１から出力される電気信号の振幅の、振幅復元部６１２１に入力される電気信号の振幅に対する比が大きくなることを表す。イコライザ処理部６１２３−ｖに対するイコライザ処理パラメータは、値が大きくなるほど、イコライザ処理部６１２３−ｖから出力される電気信号の振幅の、イコライザ処理部６１２３−ｖに入力される電気信号の振幅に対する比が大きくなることを表す。
【００６９】
制御回路６５０が初期スキャン制御を実行している場合、受信回路３２２は、既知の情報を表す電気信号（換言すると、試験信号）を第１調整回路６１０に入力する。第１調整回路６１０は、波形調整回路６１２にて波形が調整された電気信号を、切替回路６３０を介して論理回路３１へ出力する。
【００７０】
論理回路３１は、切替回路６３０から出力された電気信号が表す情報が誤りを含むか否かを判定する。論理回路３１は、当該判定の結果を表す情報を、制御回路６５０へ出力する。本例では、当該判定の結果を表す情報は、切替回路６３０から出力された電気信号が表す情報が誤りを含むか否かを表す情報（換言すると、通信可否情報）である。
【００７１】
本例では、第１調整回路６１０から出力された電気信号が表す情報が誤りを含まないことは、制御情報レジスタ６１１に記憶されている制御情報が、通信可能制御情報であることに対応する。通信可能制御情報は、第１調整回路６１０に入力された信号の波形の調整に用いられることにより当該信号が正しい情報を表す制御情報である。
【００７２】
一方、本例では、第１調整回路６１０から出力された電気信号が表す情報が誤りを含むことは、制御情報レジスタ６１１に記憶されている制御情報が、通信不能制御情報であることに対応する。通信不能制御情報は、第１調整回路６１０に入力された信号の波形の調整に用いられることにより当該信号が誤った情報を表す制御情報である。
【００７３】
通信可否情報レジスタ６１３は、制御情報レジスタ６１１に記憶されている制御情報と、論理回路３１から出力された通信可否情報と、を互いに関連付けて記憶する。本例では、制御回路６５０が初期スキャン制御を実行することにより、通信可否情報レジスタ６１３は、Ｋ個の制御情報のそれぞれに対して、当該制御情報と通信可否情報とを互いに関連付けて記憶する。
【００７４】
例えば、図７に表されるように、通信可否情報レジスタ６１３は、Ｋ個の制御情報のそれぞれに対して、当該制御情報と通信可否情報とを互いに関連付けて記憶する。図７において、「○」は、第１調整回路６１０から出力された電気信号が表す情報が誤りを含まないこと（換言すると、通信可能であること）を表す。図７において、「×」は、第１調整回路６１０から出力された電気信号が表す情報が誤りを含むこと（換言すると、通信不能であること）を表す。
【００７５】
なお、後述する、図８、図１２乃至図１４、及び、図１６において、「○」は、第１調整回路６１０から出力された電気信号が表す情報と、第２調整回路６２０から出力された電気信号が表す情報と、が一致すること（換言すると、通信可能であること）を表す。後述する、図８、図１２乃至図１４、及び、図１６において、「×」は、第１調整回路６１０から出力された電気信号が表す情報と、第２調整回路６２０から出力された電気信号が表す情報と、が一致しないこと（換言すると、通信不能であること）を表す。
【００７６】
また、図７においては、図面を簡単にするため、振幅復元パラメータ及び１個のイコライザ処理パラメータの組み合わせが制御情報として表されている。なお、後述する、図８、図１２乃至図１４、及び、図１６も図７と同様に表現されている。
【００７７】
制御回路６５０は、初期スキャン制御の実行が完了した場合、通信可否情報レジスタ６１３に記憶されている情報に基づいて通信可能範囲を検出する。通信可能範囲の検出は、通信可能範囲の特定と表されてもよい。通信可能範囲は、Ｋ個の制御情報のうちの、通信可能制御情報の集合（換言すると、通信可能制御情報からなる制御情報群）である。例えば、図７に表されるように、制御回路６５０は、通信可能範囲ＣＲ１を検出する。初期スキャン制御の実行によって検出される通信可能範囲ＣＲ１は、第１制御情報群の一例である。
【００７８】
制御回路６５０は、検出した通信可能範囲ＣＲ１を記憶する。制御回路６５０は、記憶している通信可能範囲ＣＲ１に基づいて、Ｋ個の制御情報のうちの１つを選択する。本例では、制御回路６５０は、通信可能制御情報（換言すると、通信可能範囲ＣＲ１に含まれる制御情報）のうちの、通信可能範囲ＣＲ１の境界との間で、各パラメータの差の大きさが最大となる制御情報を選択する。本例では、通信可能範囲ＣＲ１の境界は、通信可能制御情報と通信不能制御情報との境界である。
制御回路６５０は、選択した制御情報を制御情報レジスタ６１１に設定する。
【００７９】
その後、制御回路６５０は、切替回路６３０の状態を第１状態に設定するとともに、第１調整回路６１０の動作モードを運用モードに設定し、且つ、第２調整回路６２０の動作モードを監視モードに設定する。
【００８０】
制御回路６５０は、第１調整回路６１０の動作モードを運用モードに設定している場合、当該第１調整回路６１０に設定されている制御情報を変更しない（換言すると、一定に維持する）。
【００８１】
制御回路６５０は、第２調整回路６２０の動作モードを監視モードに設定している場合、第２調整回路６２０に対して監視スキャン制御を実行する。第２調整回路６２０に対する監視スキャン制御は、Ｋ個の制御情報のそれぞれを順次に制御情報レジスタ６２１に設定することを含む。
【００８２】
制御回路６５０が第２調整回路６２０に対して監視スキャン制御を実行している場合、比較回路６４０は、通信可否情報を第２調整回路６２０へ出力する。通信可否情報は、第１調整回路６１０から出力された電気信号が表す情報と、第２調整回路６２０から出力された電気信号が表す情報と、が一致するか否かを表す。
【００８３】
本例では、第１調整回路６１０から出力された電気信号が表す情報と、第２調整回路６２０から出力された電気信号が表す情報と、が一致することは、制御情報レジスタ６２１に記憶されている制御情報が、通信可能制御情報であることに対応する。通信可能制御情報は、第１調整回路６１０又は第２調整回路６２０に入力された信号の波形の調整に用いられることにより当該信号が正しい情報を表す制御情報である。
【００８４】
一方、本例では、第１調整回路６１０から出力された電気信号が表す情報と、第２調整回路６２０から出力された電気信号が表す情報と、が一致しないことは、制御情報レジスタ６２１に記憶されている制御情報が、通信不能制御情報であることに対応する。通信不能制御情報は、第１調整回路６１０又は第２調整回路６２０に入力された信号の波形の調整に用いられることにより当該信号が誤った情報を表す制御情報である。
【００８５】
通信可否情報レジスタ６２３は、制御情報レジスタ６２１に記憶されている制御情報と、比較回路６４０から出力された通信可否情報と、を互いに関連付けて記憶する。本例では、制御回路６５０が第２調整回路６２０に対して監視スキャン制御を実行することにより、通信可否情報レジスタ６２３は、Ｋ個の制御情報のそれぞれに対して、当該制御情報と通信可否情報とを互いに関連付けて記憶する。
【００８６】
制御回路６５０は、第２調整回路６２０に対する監視スキャン制御の実行が完了した場合、通信可否情報レジスタ６２３に記憶されている情報に基づいて通信可能範囲を検出する。例えば、図８に表されるように、制御回路６５０は、通信可能範囲ＣＲ２を検出する。制御回路６５０は、検出した通信可能範囲ＣＲ２を記憶する。監視スキャン制御の実行によって検出される通信可能範囲ＣＲ２は、第２制御情報群の一例である。
【００８７】
制御回路６５０は、検出した通信可能範囲ＣＲ２に基づいて、情報変更条件が満足されるか否かを判定する。本例では、情報変更条件は、第１条件、及び、第２条件の少なくとも一つが満足される場合に満足される。
【００８８】
第１条件は、第１調整回路６１０にて用いられている制御情報（換言すると、制御情報レジスタ６１１に記憶されている制御情報）が、第２調整回路６２０に対して検出された通信可能範囲ＣＲ２の境界に接する、という条件である。例えば、制御情報が通信可能範囲ＣＲ２の境界に接することは、当該制御情報が通信不能制御情報との間で、制御情報に含まれる、いずれか１つのパラメータの値が１だけ異なり、且つ、他のパラメータのそれぞれが一致することに対応する。
【００８９】
第２条件は、第１調整回路６１０に対して検出された通信可能範囲ＣＲ１からの、第２調整回路６２０に対して検出された通信可能範囲ＣＲ２の変化が大きい、という条件である。本例では、第１調整回路６１０に対して検出された通信可能範囲ＣＲ１は、第１調整回路６１０の動作モードが運用モードに設定される前に検出された通信可能範囲である。本例では、通信可能範囲ＣＲ２の、通信可能範囲ＣＲ１からの変化が大きいことは、通信可能範囲ＣＲ１の境界と、通信可能範囲ＣＲ２の境界と、の間の、制御情報に含まれるパラメータの差の大きさが、予め定められた閾値よりも大きいことに対応する。
なお、情報変更条件は、第１条件又は第２条件であってもよい。
【００９０】
制御回路６５０は、情報変更条件が満足されないと判定した場合、切替回路６３０の状態、第１調整回路６１０の動作モード、及び、第２調整回路６２０の動作モードを維持する。
【００９１】
一方、制御回路６５０は、情報変更条件が満足されると判定した場合、記憶している通信可能範囲ＣＲ２に基づいて、Ｋ個の制御情報のうちの１つを選択する。本例では、制御回路６５０は、通信可能制御情報（換言すると、通信可能範囲ＣＲ２に含まれる制御情報）のうちの、通信可能範囲の境界との間で、各パラメータの差の大きさが最大となる制御情報を選択する。
制御回路６５０は、選択した制御情報を制御情報レジスタ６２１に設定する。
【００９２】
その後、制御回路６５０は、切替回路６３０の状態を第２状態に設定するとともに、第１調整回路６１０の動作モードを監視モードに設定し、且つ、第２調整回路６２０の動作モードを運用モードに設定する。
制御回路６５０は、切替回路６３０の状態が第１状態に設定されている場合における第１調整回路６１０に対する制御及び処理を第２調整回路６２０に対して実行する。更に、制御回路６５０は、切替回路６３０の状態が第１状態に設定されている場合における第２調整回路６２０に対する制御及び処理を第１調整回路６１０に対して実行する。
【００９３】
（動作）
次に、受信回路３２２の動作の一例を説明する。
例えば、受信回路３２２は、伝送装置１の起動時、又は、伝送装置１のユーザにより所定の情報が伝送装置１に入力された場合、図９に表される処理を実行する。
【００９４】
本例では、受信回路３２２は、既知の情報を表す電気信号（換言すると、試験信号）を第１調整回路６１０に入力するとともに、初期スキャン制御を実行する（図９のステップＳ１０１）。これにより、第１調整回路６１０は、Ｋ個の制御情報のそれぞれを順次に用いて、試験信号の波形を調整する。受信回路３２２は、初期スキャン制御を実行することにより、Ｋ個の制御情報のそれぞれに対して、当該制御情報と通信可否情報とを互いに関連付けて記憶する。
【００９５】
この時点にて、図７に表されるように、通信可否情報レジスタ６１３が、Ｋ個の制御情報のそれぞれに対して、当該制御情報と通信可否情報とを互いに関連付けて記憶した場合を想定する。
【００９６】
次いで、受信回路３２２は、通信可否情報レジスタ６１３に記憶されている情報に基づいて通信可能範囲を検出する（図９のステップＳ１０２）。本例では、図７に表されるように、受信回路３２２は、通信可能範囲ＣＲ１を検出する。
【００９７】
次いで、受信回路３２２は、検出した通信可能範囲ＣＲ１を記憶する（図９のステップＳ１０３）。そして、受信回路３２２は、記憶している通信可能範囲ＣＲ１に基づいて、Ｋ個の制御情報のうちの１つの制御情報ＳＩ１を選択する（図９のステップＳ１０４）。本例では、受信回路３２２は、通信可能制御情報（換言すると、通信可能範囲ＣＲ１に含まれる制御情報）のうちの、通信可能範囲ＣＲ１の境界との間で、各パラメータの差の大きさが最大となる制御情報ＳＩ１を選択する。
【００９８】
次いで、受信回路３２２は、選択した制御情報ＳＩ１を制御情報レジスタ６１１に設定する（図９のステップＳ１０５）。
そして、受信回路３２２は、図９の処理を終了する。
【００９９】
その後、受信回路３２２は、例えば、図１０に表される処理を実行する。
本例では、受信回路３２２は、切替回路６３０の状態を第１状態に設定する。これにより、第１調整回路６１０にて波形が調整された信号が論理回路３１へ出力される。更に、受信回路３２２は、第１調整回路６１０の動作モードを運用モードに設定するとともに、第２調整回路６２０の動作モードを監視モードに設定する（図１０のステップＳ２０１）。
【０１００】
次いで、受信回路３２２は、情報変更が決定されるまで待機する（図１０のステップＳ２０２の「Ｎｏ」ルート）。情報変更は、受信回路３２２の外部へ出力される信号の波形の調整に用いられる制御情報の変更である。
【０１０１】
更に、受信回路３２２は、例えば、図１１に表される処理を、第１調整回路６１０及び第２調整回路６２０のそれぞれに対して実行する。
先ず、第１調整回路６１０に対する図１１の処理から説明する。
本例では、受信回路３２２は、第１調整回路６１０の動作モードが運用モードであるか否かを判定する（図１１のステップＳ３０１）。この時点では、第１調整回路６１０の動作モードは、運用モードに設定されている。従って、受信回路３２２は、「Ｙｅｓ」と判定し、ステップＳ３０１の処理を繰り返し実行する。
【０１０２】
これにより、第１調整回路６１０は、第１調整回路６１０の動作モードが運用モードに設定された時点にて制御情報レジスタ６１１に設定されていた制御情報を用いて、送信回路２２１から受信された電気信号の波形を調整する。
【０１０３】
次に、第２調整回路６２０に対する図１１の処理について説明する。
本例では、受信回路３２２は、第２調整回路６２０の動作モードが運用モードであるか否かを判定する（図１１のステップＳ３０１）。この時点では、第２調整回路６２０の動作モードは、監視モードに設定されている。従って、受信回路３２２は、「Ｎｏ」と判定し、監視スキャン制御を実行する（図１１のステップＳ３０２）。
【０１０４】
これにより、第２調整回路６２０は、Ｋ個の制御情報のそれぞれを順次に用いて、送信回路２２１から受信された電気信号の波形を調整する。受信回路３２２は、監視スキャン制御を実行することにより、Ｋ個の制御情報のそれぞれに対して、当該制御情報と通信可否情報とを互いに関連付けて記憶する。
【０１０５】
本例では、図１２に表されるように、通信可否情報レジスタ６２３が、Ｋ個の制御情報のそれぞれに対して、当該制御情報と通信可否情報とを互いに関連付けて記憶した場合を想定する。
【０１０６】
次いで、受信回路３２２は、通信可否情報レジスタ６２３に記憶されている情報に基づいて通信可能範囲を検出する（図１１のステップＳ３０３）。本例では、図１２に表されるように、受信回路３２２は、通信可能範囲ＣＲ３を検出する。
【０１０７】
次いで、受信回路３２２は、検出した通信可能範囲ＣＲ３を記憶する（図１１のステップＳ３０４）。そして、受信回路３２２は、制御情報レジスタ６１１に記憶されている制御情報が、第２調整回路６２０に対して検出された通信可能範囲ＣＲ３の境界に接するか否かを判定する（図１１のステップＳ３０５）。
【０１０８】
この時点では、図１２に表されるように、制御情報レジスタ６１１に記憶されている制御情報は、第２調整回路６２０に対して検出された通信可能範囲ＣＲ３の境界に接しない。従って、受信回路３２２は、「Ｎｏ」と判定し、第１調整回路６１０に対して検出された通信可能範囲ＣＲ１からの、第２調整回路６２０に対して検出された通信可能範囲ＣＲ３の変化が大きいか否かを判定する（図１１のステップＳ３０６）。
【０１０９】
この時点では、通信可能範囲ＣＲ１からの、通信可能範囲ＣＲ３の変化が小さい場合を想定する。この場合、受信回路３２２は、「Ｎｏ」と判定し、ステップＳ３０１へ戻り、ステップＳ３０１乃至ステップＳ３０９の処理を繰り返し実行する。
【０１１０】
その後、図８に表されるように、通信可否情報レジスタ６２３が、Ｋ個の制御情報のそれぞれに対して、当該制御情報と通信可否情報とを互いに関連付けて記憶した場合を想定する。この場合、受信回路３２２は、図１１のステップＳ３０３に進んだとき、図８に表されるように、通信可能範囲ＣＲ２を検出する。
【０１１１】
この時点では、図８に表されるように、制御情報レジスタ６１１に記憶されている制御情報は、第２調整回路６２０に対して検出された通信可能範囲ＣＲ２の境界に接する。従って、受信回路３２２は、図１１のステップＳ３０５に進んだとき、「Ｙｅｓ」と判定し、図１３に表されるように、通信可能範囲ＣＲ２に基づいて、Ｋ個の制御情報のうちの１つの制御情報ＳＩ２を選択する（図１１のステップＳ３０７）。
【０１１２】
次いで、受信回路３２２は、選択した制御情報ＳＩ２を制御情報レジスタ６２１に設定する（図１１のステップＳ３０８）。そして、受信回路３２２は、情報変更を決定する（図１１のステップＳ３０９）。次いで、受信回路３２２は、ステップＳ３０１へ戻り、ステップＳ３０１乃至ステップＳ３０９の処理を繰り返し実行する。
【０１１３】
なお、第１調整回路６１０に対して検出された通信可能範囲ＣＲ１からの、第２調整回路６２０に対して検出された通信可能範囲の変化が大きい場合、受信回路３２２は、図１１のステップＳ３０６に進んだとき、「Ｙｅｓ」と判定する。この場合、受信回路３２２は、図１１のステップＳ３０５にて「Ｙｅｓ」と判定する場合と同様に、図１１のステップＳ３０７乃至ステップＳ３０９の処理を実行する。
【０１１４】
受信回路３２２が図１１のステップＳ３０９にて情報変更を決定することにより、受信回路３２２は、図１０のステップＳ２０２にて「Ｙｅｓ」と判定する。次いで、受信回路３２２は、切替回路６３０の状態を第２状態に設定する。これにより、第２調整回路６２０にて波形が調整された信号が論理回路３１へ出力される。更に、受信回路３２２は、第１調整回路６１０の動作モードを監視モードに設定するとともに、第２調整回路６２０の動作モードを運用モードに設定する（図１０のステップＳ２０３）。
【０１１５】
次いで、受信回路３２２は、情報変更が決定されるまで待機する（図１０のステップＳ２０４の「Ｎｏ」ルート）。
【０１１６】
この時点における第２調整回路６２０に対する図１１の処理について説明する。
本例では、受信回路３２２は、第２調整回路６２０の動作モードが運用モードであるか否かを判定する（図１１のステップＳ３０１）。この時点では、第２調整回路６２０の動作モードは、運用モードに設定されている。従って、受信回路３２２は、「Ｙｅｓ」と判定し、図１１のステップＳ３０１の処理を繰り返し実行する。
【０１１７】
これにより、第２調整回路６２０は、第２調整回路６２０の動作モードが運用モードに設定された時点にて制御情報レジスタ６２１に設定されていた制御情報ＳＩ２を用いて、送信回路２２１から受信された電気信号の波形を調整する。
【０１１８】
また、この時点における第１調整回路６１０に対する図１１の処理について説明する。
本例では、受信回路３２２は、第１調整回路６１０の動作モードが運用モードであるか否かを判定する（図１１のステップＳ３０１）。この時点では、第１調整回路６１０の動作モードは、監視モードに設定されている。従って、受信回路３２２は、「Ｎｏ」と判定し、監視スキャン制御を実行する（図１１のステップＳ３０２）。
【０１１９】
これにより、第１調整回路６１０は、Ｋ個の制御情報のそれぞれを順次に用いて、送信回路２２１から受信された電気信号の波形を調整する。受信回路３２２は、監視スキャン制御を実行することにより、Ｋ個の制御情報のそれぞれに対して、当該制御情報と通信可否情報とを互いに関連付けて記憶する。
【０１２０】
この時点にて、図１４に表されるように、通信可否情報レジスタ６２３が、Ｋ個の制御情報のそれぞれに対して、当該制御情報と通信可否情報とを互いに関連付けて記憶した場合を想定する。
【０１２１】
次いで、受信回路３２２は、通信可否情報レジスタ６２３に記憶されている情報に基づいて通信可能範囲を検出する（図１１のステップＳ３０３）。本例では、図１４に表されるように、受信回路３２２は、通信可能範囲ＣＲ４を検出する。その後、受信回路３２２は、上述した場合と同様に、図１１のステップＳ３０４以降の処理を実行する。
【０１２２】
その後、受信回路３２２が図１１のステップＳ３０９にて情報変更を決定した場合、受信回路３２２は、図１０のステップＳ２０４にて「Ｙｅｓ」と判定する。次いで、受信回路３２２は、図１０のステップＳ２０１へ戻り、ステップＳ２０１乃至ステップＳ２０４の処理を繰り返し実行する。
【０１２３】
以上、説明したように、第１実施形態の制御回路６５０は、第１調整回路６１０により用いられる第１制御情報としてＫ個の制御情報のうちの１つを選択する。更に、制御回路６５０は、第２調整回路６２０により用いられる第２制御情報として当該Ｋ個の制御情報のそれぞれを順次に選択する。加えて、制御回路６５０は、第２調整回路６２０にて当該Ｋ個の制御情報のそれぞれに対して波形が調整された信号に基づいて、当該Ｋ個の制御情報のうちの１つを、第２調整回路６２０により用いられる第２制御情報として選択する。
【０１２４】
これによれば、波形が調整された信号が表す情報が誤りを含む（換言すると、エラーが発生する）前に、適切な制御情報を選択し直すことができる。従って、エラーの発生を抑制できる。更に、受信回路３２２が任意の信号（例えば、ユーザ信号）を処理している間（換言すると、受信回路３２２の運用中、又は、伝送装置１の運用中）に、制御情報を選択し直すことができる。従って、制御情報を選択し直す場合に、受信回路３２２の運用が停止する時間を短縮できる。本例では、受信回路３２２の運用が停止する時間の短縮は、受信回路３２２の運用が停止しない（換言すると、制御情報を選択し直す場合に、受信回路３２２が無瞬断にて運用される）ことを含む。
【０１２５】
更に、第１実施形態の制御回路６５０は、切替回路６３０の状態が第１状態である場合、第１調整回路６１０により用いられる第１制御情報としてＫ個の制御情報のうちの１つを選択する。加えて、制御回路６５０は、切替回路６３０の状態が第１状態である場合、第２調整回路６２０により用いられる第２制御情報として当該Ｋ個の制御情報のそれぞれを順次に選択する。
【０１２６】
更に、制御回路６５０は、第２調整回路６２０にて当該Ｋ個の制御情報のそれぞれに対して波形が調整された信号に基づいて、切替回路６３０の状態を第１状態から第２状態へ切り替えるとともに、当該Ｋ個の制御情報のうちの１つを第２制御情報として選択する。
【０１２７】
これによれば、波形の調整に用いられている制御情報が、適切な制御情報と異なっている場合に、受信回路３２２の外部へ出力される信号の波形の調整に用いられる制御情報を適切な制御情報に迅速に変更できる。この結果、エラーの発生を抑制できるとともに、受信回路３２２の運用が停止する時間を短縮できる。
【０１２８】
更に、第１実施形態の制御回路６５０は、第１調整回路６１０により用いられる第１制御情報としてＫ個の制御情報のそれぞれを順次に選択する。加えて、制御回路６５０は、第１調整回路６１０にて当該Ｋ個の制御情報のそれぞれに対して波形が調整された信号に基づいて第１制御情報群を特定する。第１制御情報群は、当該Ｋ個の制御情報のうちの、送信回路２２１から受信された信号の波形の調整に用いられることにより当該信号が正しい情報を表す制御情報からなる。更に、制御回路６５０は、特定された第１制御情報群に基づいて、第１調整回路６１０により用いられる第１制御情報として当該Ｋ個の制御情報のうちの１つを選択する。
【０１２９】
更に、制御回路６５０は、第１制御情報群が特定された後に、第２調整回路６２０にて当該Ｋ個の制御情報のそれぞれに対して波形が調整された信号に基づいて第２制御情報群を特定する。第２制御情報群は、当該Ｋ個の制御情報のうちの、送信回路２２１から受信された信号の波形の調整に用いられることにより当該信号が正しい情報を表す制御情報からなる。更に、制御回路６５０は、特定された第１制御情報群と、特定された第２制御情報群と、に基づいて、情報変更を決定するか否かを判定する。本例では、情報変更を決定するか否かの判定は、第２調整回路６２０により用いられる第２制御情報の選択を行なうか否かの決定（換言すると、第２制御情報の選択の制御）に対応する。
【０１３０】
送信回路２２１から受信される信号の波形が変化した場合、Ｋ個の制御情報のうちの、当該信号の波形の調整に用いられることにより当該信号が正しい情報を表す制御情報からなる制御情報群も変化することがある。この場合、波形の調整に用いられる制御情報として適切な（例えば、エラーが最も発生しにくい）制御情報も変化しやすい。
【０１３１】
そこで、受信回路３２２は、第１制御情報を選択する基となった第１制御情報群と、当該第１制御情報群が特定された後に特定された第２制御情報群と、に基づいて第２制御情報の選択を制御する。これによれば、制御情報群が変化した場合に、制御情報を選択し直すことができる。この結果、エラーの発生を抑制できる。
【０１３２】
更に、第１実施形態の制御回路６５０は、第１調整回路６１０により用いられる第１制御情報が選択された後に、上記第２制御情報群を特定し、且つ、第１制御情報と、特定された第２制御情報群と、に基づいて、情報変更を決定するか否かを判定する。
【０１３３】
送信回路２２１から受信される信号の波形が変化した場合、Ｋ個の制御情報のうちの、当該信号の波形の調整に用いられることにより当該信号が正しい情報を表す制御情報からなる制御情報群も変化することがある。この場合、波形の調整に用いられる制御情報として適切な（例えば、エラーが最も発生しにくい）制御情報も変化しやすい。
【０１３４】
そこで、受信回路３２２は、第１制御情報と、当該第１制御情報が選択された後に特定された第２制御情報群と、に基づいて、第２制御情報の選択を制御する。これによれば、第１制御情報と制御情報群との関係が変化した場合に、制御情報を選択し直すことができる。この結果、エラーの発生を抑制できる。
【０１３５】
更に、第１実施形態の制御回路６５０は、第１調整回路６１０にて調整された信号が表す情報と、第２調整回路６２０にてＫ個の制御情報のそれぞれに対して調整された信号が表す情報と、が一致するか否かに基づいて上記第２制御情報群の特定を行なう。
【０１３６】
これによれば、受信回路３２２の運用中に入力される信号を用いて、第２制御情報群を特定できる。従って、受信回路３２２の運用が停止する時間を短縮できる。
【０１３７】
第１実施形態の受信回路３２２は、情報変更を決定した場合、第１調整回路６１０及び第２調整回路６２０のそれぞれの動作モードを、運用モードと監視モードとの間で切り替える。ところで、第１実施形態の変形例の受信回路３２２は、情報変更を決定した場合、第１調整回路６１０及び第２調整回路６２０のそれぞれの動作モードを維持してもよい。この場合、受信回路３２２は、新たに選択された制御情報を、制御情報レジスタ６２１に代えて制御情報レジスタ６１１に設定する。この場合、受信回路３２２は、切替回路６３０を省略してよい。
【０１３８】
＜第２実施形態＞
次に、第２実施形態の処理装置について説明する。第２実施形態の処理装置は、第１実施形態の処理装置に対して、波形が調整された信号が表す情報が誤りを含むか否かに基づいて通信可能範囲の特定を行なう点において相違している。以下、相違点を中心として説明する。なお、第２実施形態の説明において、第１実施形態にて使用した符号と同じ符号を付したものは、同一又はほぼ同様のものである。
【０１３９】
例えば、図１５に表されるように、第２実施形態の受信回路３２２は、第１実施形態の受信回路３２２が備える、第１調整回路６１０、第２調整回路６２０、及び、比較回路６４０に代えて、第１調整回路６１０Ａ、及び、第２調整回路６２０Ａを備える。第２実施形態のＡＳＩＣ１３１は、第１実施形態の論理回路３１に代えて、論理回路３１Ａを備える。
【０１４０】
第１調整回路６１０Ａは、第１実施形態の第１調整回路６１０が備える構成に加えて、誤り検出回路６１４Ａを備える。同様に、第２調整回路６２０Ａは、第１実施形態の第２調整回路６２０が備える構成に加えて、誤り検出回路６２４Ａを備える。論理回路３１Ａは、誤り検出回路３１１を備えない点において、第１実施形態の論理回路３１と相違する。なお、論理回路３１Ａは、誤り検出回路３１１を備えていてもよい。
【０１４１】
誤り検出回路６１４Ａは、波形調整回路６１２から出力された電気信号が表す情報が誤りを含むか否かを判定する。本例では、誤り検出回路６１４Ａは、電気信号が表す情報に含まれる誤り訂正符号に基づいて当該情報が誤りを含むか否かを判定する。例えば、誤り訂正符号は、パリティ符号、ＥＣＣ（Ｅｒｒｏｒ  Ｃｏｒｒｅｃｔｉｏｎ  Ｃｏｄｅ）、又は、リードソロモン符号等である。
【０１４２】
誤り検出回路６１４Ａは、当該判定の結果を表す情報を、通信可否情報レジスタ６１３へ出力する。本例では、当該判定の結果を表す情報は、波形調整回路６１２から出力された電気信号が表す情報が誤りを含むか否かを表す情報（換言すると、通信可否情報）である。
通信可否情報レジスタ６１３は、制御情報レジスタ６１１に記憶されている制御情報と、誤り検出回路６１４Ａから出力された通信可否情報と、を互いに関連付けて記憶する。
【０１４３】
誤り検出回路６２４Ａは、波形調整回路６２２から出力された電気信号が表す情報が誤りを含むか否かを判定する。本例では、誤り検出回路６２４Ａは、電気信号が表す情報に含まれる誤り訂正符号に基づいて当該情報が誤りを含むか否かを判定する。
【０１４４】
誤り検出回路６２４Ａは、当該判定の結果を表す情報を、通信可否情報レジスタ６２３へ出力する。本例では、当該判定の結果を表す情報は、波形調整回路６２２から出力された電気信号が表す情報が誤りを含むか否かを表す情報（換言すると、通信可否情報）である。
通信可否情報レジスタ６２３は、制御情報レジスタ６２１に記憶されている制御情報と、誤り検出回路６２４Ａから出力された通信可否情報と、を互いに関連付けて記憶する。
【０１４５】
第２実施形態の制御回路６５０は、第２調整回路６２０ＡにてＫ個の制御情報のそれぞれに対して波形が調整された信号が表す情報が誤りを含むか否かに基づいて第２制御情報群の特定を行なう。
【０１４６】
第２実施形態の受信回路３２２によれば、第１実施形態の受信回路３２２と同様の作用及び効果を奏することができる。
更に、第２実施形態の受信回路３２２によれば、受信回路３２２の運用中に入力される信号を用いて、第２制御情報群を特定できる。従って、受信回路３２２の運用が停止する時間を短縮できる。
【０１４７】
ところで、主信号は、ランダムに発生する誤りを含むことがある。また、受信回路３２２の個体差により、波形が調整された信号が表す情報が誤りを含むか否かの判定の結果が受信回路３２２間で異なることがある。
【０１４８】
そこで、第２実施形態の変形例の制御回路６５０は、波形が調整された信号が表す情報が誤りを含むか否かの判定の結果を平滑化する処理を実行する。例えば、図１６に表されるように、制御情報と通信可否情報とが互いに関連付けて記憶されている場合、制御回路６５０は、通信不能制御情報である制御情報ＲＥを、通信可能制御情報として取り扱うことにより、通信可能範囲ＣＲ５を検出する。
これによれば、通信可能範囲を高い精度にて特定できる。
【０１４９】
なお、受信回路３２２は、伝送装置１以外の装置（例えば、テレコム機器、情報機器、通信機器、又は、産業機器等）に適用されてもよい。
【符号の説明】
【０１５０】
１      伝送装置
１１，１２  インタフェース装置
１１１  光モジュール
１１２  ＡＳＩＣ
１１３  ＣＰＵ
１３    切替装置
１３１  ＡＳＩＣ
１４    制御装置
１４１  ＡＳＩＣ
１４２  ＣＰＵ
２１    論理回路
２２    ＳｅｒＤｅｓ回路
２２０  ポート
２２１  送信回路
２２２  受信回路
３１    論理回路
３２    ＳｅｒＤｅｓ回路
３２０  ポート
３２１  送信回路
３２２  受信回路
４１    論理回路
４２    ＳｅｒＤｅｓ回路
４２０  ポート
５１１  振幅処理部
５１２  帯域フィルタ
５１３  エンファシス処理部
６１０，６１０Ａ  第１調整回路
６１１  制御情報レジスタ
６１２  波形調整回路
６１２１  振幅復元部
６１２２  帯域フィルタ
６１２３  イコライザ処理部
６１３  通信可否情報レジスタ
６１４Ａ  誤り検出回路
６２０，６２０Ａ  第２調整回路
６２１  制御情報レジスタ
６２２  波形調整回路
６２３  通信可否情報レジスタ
６２４Ａ  誤り検出回路
６３０  切替回路
６４０  比較回路
６５０  制御回路
ＦＣ    通信ケーブル
【図１】
2018032920.tif 000003
【図２】
2018032920.tif 000004
【図３】
2018032920.tif 000005
【図４】
2018032920.tif 000006
【図５】
2018032920.tif 000007
【図６】
2018032920.tif 000008
【図７】
2018032920.tif 000009
【図８】
2018032920.tif 000010
【図９】
2018032920.tif 000011
【図１０】
2018032920.tif 000012
【図１１】
2018032920.tif 000013
【図１２】
2018032920.tif 000014
【図１３】
2018032920.tif 000015
【図１４】
2018032920.tif 000016
【図１５】
2018032920.tif 000017
【図１６】
2018032920.tif 000018